(57)【要約】【課題】スタンド部材が表示装置本体に対して平面視で回転方向に傾いた状態で取り付けられることを抑制することが可能な表示装置を提供する。【解決手段】このテレビジョン装置１（表示装置）は、表示部４を含む表示装置本体２と、表示装置本体２を支持するスタンド部材６と、表示装置本体２とスタンド部材６とを固定するネジ６６とを備え、スタンド部材６および表示装置本体２の一方は、スタンド部材６と表示装置本体２とが当接する当接面に対して垂直方向に先細り形状であるリブ６３を有し、スタンド部材６および表示装置本体２の他方は、リブ６３に対応する先細り形状に形成され、リブ６３に係合する溝部７２を有しており、リブ６３および溝部７２は、表示装置本体２とスタンド部材６とがネジ６６によって固定される際に、リブ６３の側面部６３ａが溝部７２の内側面７２ａに沿って徐々に誘導されて係合するように構成されている。【選択図】図３
2013110732.tif 000002
【特許請求の範囲】
【請求項１】
表示部を含む表示装置本体と、
前記表示装置本体を支持するスタンド部材と、
前記表示装置本体と前記スタンド部材とを固定する締結部材とを備え、
前記スタンド部材および前記表示装置本体の一方は、前記スタンド部材と前記表示装置本体とが当接する当接面に対して垂直方向に先細り形状である凸部を有し、
前記スタンド部材および前記表示装置本体の他方は、前記凸部に対応する先細り形状に形成され、前記凸部に係合する凹部を有しており、
前記凸部および前記凹部は、前記表示装置本体と前記スタンド部材とが前記締結部材によって固定される際に、前記凸部の側面部が前記凹部の内側面に沿って徐々に誘導されて係合するように構成されている、表示装置。
【請求項２】
前記凸部は、前記スタンド部材および前記表示装置本体の一方に一体的に設けられ、前記当接面に沿った方向に延びるリブを含み、
前記凹部は、前記スタンド部材および前記表示装置本体の他方に一体的に設けられ、前記リブに対応する形状の溝部を含む、請求項１に記載の表示装置。
【請求項３】
前記凸部は、間隔を隔てて配置された第１凸部と第２凸部とを含み、
前記凹部は、前記第１凸部に係合する第１凹部と、前記第２凸部に係合する第２凹部とを含む、請求項１または２に記載の表示装置。
【請求項４】
前記第１凸部と前記第２凸部とは、前記締結部材を挟むように前記締結部材が取り付けられる位置よりも外側に設けられており、
前記第１凸部に係合する第１凹部と、前記第２凸部に係合する第２凹部とは、前記締結部材を挟むように前記締結部材が取り付けられる位置よりも外側に設けられている、請求項３に記載の表示装置。
【請求項５】
前記凸部は、略三角断面形状を有しており、
前記凹部は、前記凸部の前記略三角断面形状に対応する形状を有している、請求項１〜４のいずれか１項に記載の表示装置。
【請求項６】
前記凸部は、略円錐形状を有しており、
前記凹部は、前記略円錐形状の前記凸部の断面形状に対応する断面形状を有している、請求項１に記載の表示装置。
【請求項７】
前記凸部は、略台形断面形状を有しており、
前記凹部は、前記凸部の前記略台形断面形状に対応する断面形状を有している、請求項１〜４のいずれか１項に記載の表示装置。
【請求項８】
前記表示装置本体は、第１仮固定部を含み、
前記スタンド部材は、前記表示装置本体の第１仮固定部に係合して前記表示装置本体に仮固定するための第２仮固定部を含み、
前記第１仮固定部と前記第２仮固定部とが係合することによって仮固定される際に、前記凸部が前記凹部に係合するように構成されている、請求項１〜７のいずれか１項に記載の表示装置。
【請求項９】
前記凸部は、直線状に延びる形状を有し、
前記凹部は、直線状に延びる前記凸部に対応するように直線状に形成され、
前記第１仮固定部と前記第２仮固定部とが相対的にスライド移動しながら係合することによって仮固定される際に、前記凸部が前記凹部に係合した状態で相対的にスライド移動可能なように構成されている、請求項８に記載の表示装置。
【請求項１０】
前記凸部は、前記凸部の高さが前記スライド移動する方向に沿って先細り状になるとともに、前記凸部の幅が前記スライド移動する方向に沿って先細り状になるように形成されている、請求項９に記載の表示装置。
【請求項１１】
前記スタンド部材は、平坦面状に形成された第１取付面を有しており、
前記表示装置本体は、平坦面状に形成された第２取付面を有しており、
前記凸部は、前記スタンド部材の第１取付面および前記表示装置本体の第２取付面の一方に設けられており、
前記凹部は、前記スタンド部材の第１取付面および前記表示装置本体の第２取付面の他方に設けられており、
前記スタンド部材と前記表示装置本体とが前記締結部材により固定されることにより、前記凸部の側面部と前記凹部の内側面とが互いに密着するとともに前記第１取付面と前記第２取付面とが面接触するように構成されている、請求項１〜１０のいずれか１項に記載の表示装置。
【請求項１２】
テレビジョン放送を受信可能な受信部と、
表示部を含む表示装置本体と、
前記表示装置本体を支持するスタンド部材と、
前記表示装置本体と前記スタンド部材とを固定する締結部材とを備え、
前記スタンド部材および前記表示装置本体の一方は、前記スタンド部材と前記表示装置本体とが当接する当接面に対して垂直方向に先細り形状である凸部を有し、
前記スタンド部材および前記表示装置本体の他方は、前記凸部に対応する先細り形状に形成され、前記凸部に係合する凹部を有しており、
前記凸部および前記凹部は、前記表示装置本体と前記スタンド部材とが前記締結部材によって固定される際に、前記凸部の側面部が前記凹部の内側面に沿って徐々に誘導されて係合するように構成されている、テレビジョン装置。
【発明の詳細な説明】
【技術分野】
【０００１】
この発明は、表示装置およびテレビジョン装置に関し、特に、スタンド部材を備えた表示装置およびテレビジョン装置に関する。
【背景技術】
【０００２】
従来、スタンド部材を備えた表示装置およびテレビジョン装置が知られている（たとえば、特許文献１参照）。
【０００３】
上記特許文献１には、表示パネル（表示部）を含む本体（表示装置本体）と、本体を支持するスタンド（スタンド部材）とを備え、本体の底部には開口が設けられ、スタンドには本体の開口に掛止される掛止部が設けられた薄型表示装置（表示装置）が開示されている。この薄型表示装置では、スタンドの掛止部を本体の開口に掛止して仮固定された状態で、スタンドがねじにより本体に取り付けられる。
【先行技術文献】
【特許文献】
【０００４】
【特許文献１】特開２０１０−１４１６１０号公報
【発明の概要】
【発明が解決しようとする課題】
【０００５】
しかしながら、上記特許文献１の薄型表示装置（表示装置）では、スタンド（スタンド部材）は本体に仮固定されただけの状態でねじにより本体に取り付けられるので、スタンドの掛止部と本体（表示装置本体）の開口との間のがたつきに起因してスタンドと本体との位置決めを精度よく行うことができない。このため、薄型表示装置が設置面に設置された状態において、スタンドが本体に対して平面視で回転方向に傾いた状態で取り付けられる場合があるという問題点がある。
【０００６】
この発明は、上記のような課題を解決するためになされたものであり、この発明の１つの目的は、スタンド部材が表示装置本体に対して平面視で回転方向に傾いた状態で取り付けられることを抑制することが可能な表示装置およびテレビジョン装置を提供することである。
【課題を解決するための手段】
【０００７】
この発明の第１の局面による表示装置は、表示部を含む表示装置本体と、表示装置本体を支持するスタンド部材と、表示装置本体とスタンド部材とを固定する締結部材とを備え、スタンド部材および表示装置本体の一方は、スタンド部材と表示装置本体とが当接する当接面に対して垂直方向に先細り形状である凸部を有し、スタンド部材および表示装置本体の他方は、凸部に対応する先細り形状に形成され、凸部に係合する凹部を有しており、凸部および凹部は、表示装置本体とスタンド部材とが締結部材によって固定される際に、凸部の側面部が凹部の内側面に沿って徐々に誘導されて係合するように構成されている。
【０００８】
この発明の第１の局面による表示装置では、上記のように、スタンド部材および表示装置本体の一方に、スタンド部材と表示装置本体とが当接する当接面に対して垂直方向に先細り形状である凸部を設けるとともに、スタンド部材および表示装置本体の他方に、凸部に対応する先細り形状に形成されるとともに、凸部に係合する凹部を設け、表示装置本体とスタンド部材とを締結部材によって固定する際に、凸部の側面部を凹部の内側面に沿って徐々に誘導して、凸部および凹部を係合するように構成することによって、スタンド部材を表示装置本体に取り付ける際に、先細り形状の凸部の先端が先細り形状の凹部の内側面に沿って凹部の先端方向に移動されるので、凸部と凹部とを精度よく位置決めすることができる。これにより、スタンド部材と表示装置本体とが精度よく位置決めされるので、スタンド部材が取り付けされた表示装置が設置面に設置された状態において、スタンド部材が表示装置本体に対して平面視で回転方向に傾いた状態で取り付けられることを抑制することができる。その結果、スタンド部材の取り付け時にユーザがスタンド部材が傾かないように微調整する必要もないので、スタンド部材の取付作業性を向上させることができる。また、スタンド部材を表示装置本体に取り付ける際に、先細り形状の凸部の先端が先細り形状の凹部の内側面にガイドされながら凹部の先端方向に移動されるので、スタンド部材と表示装置本体とを容易に精度よく位置決めして取り付けることができ、その結果、これによってもスタンド部材の取付作業性を向上させることができる。さらに、締結部材により固定される際に、凸部の側面部が凹部の内側面に沿って徐々に誘導されるように構成することによって、締結部材により固定される際に、凸部と凹部とが正確に位置決めされるので、凸部を凹部に対して最初は大雑把に嵌め込むだけで正確に位置決めをすることができる。
【０００９】
上記第１の局面による表示装置において、好ましくは、凸部は、スタンド部材および表示装置本体の一方に一体的に設けられ、当接面に沿った方向に延びるリブを含み、凹部は、スタンド部材および表示装置本体の他方に一体的に設けられ、リブに対応する形状の溝部を含む。このように構成すれば、スタンド部材および表示装置本体とそれぞれ一体的に設けられたリブおよび溝部により、凸部および凹部をスタンド部材および表示装置本体と別個に設ける必要がないので、部品点数の増加を防止することができる。また、当接面に沿った方向に延びるリブを設けるとともに、リブに対応する形状の溝部を設けることによって、当接面に沿った方向に延びるより大きい領域でリブと溝部とを係合させることができるので、リブと溝部とが係合した状態においてスタンド部材が表示装置本体に対してより傾きにくくなり、その結果、スタンド部材が表示装置本体に対して傾いた状態で取り付けられることをより抑制することができる。
【００１０】
上記第１の局面による表示装置において、好ましくは、凸部は、間隔を隔てて配置された第１凸部と第２凸部とを含み、凹部は、第１凸部に係合する第１凹部と、第２凸部に係合する第２凹部とを含む。このように構成すれば、複数組の凸部および凹部により、スタンド部材の傾きを抑制することができるので、スタンド部材が表示装置本体に対して傾いた状態で取り付けられることを効果的に抑制することができる。
【００１１】
この場合、好ましくは、第１凸部と第２凸部とは、締結部材を挟むように締結部材が取り付けられる位置よりも外側に設けられており、第１凸部に係合する第１凹部と、第２凸部に係合する第２凹部とは、締結部材を挟むように締結部材が取り付けられる位置よりも外側に設けられている。このように構成すれば、第１凸部と第２凸部との距離を大きくすることができるので、第１凸部と第２凸部との距離が小さい場合に比べて、スタンド部材が表示装置本体に対して平面視で回転方向に同じ長さだけずれた場合でもスタンド部材の表示装置本体に対する傾き（角度）を小さくすることができる。これにより、スタンド部材が表示装置本体に対して傾いた状態で取り付けられることをより効果的に抑制することができる。
【００１２】
上記第１の局面による表示装置において、好ましくは、凸部は、略三角断面形状を有しており、凹部は、凸部の略三角断面形状に対応する形状を有している。このように構成すれば、略三角断面形状の凹部の内側面に沿うように略三角断面形状の凸部の先端の位置が容易に位置決めされるので、スタンド部材を表示装置本体に対して容易に位置決めすることができる。
【００１３】
上記第１の局面による表示装置において、好ましくは、凸部は、略円錐形状を有しており、凹部は、略円錐形状の凸部の断面形状に対応する断面形状を有している。このように構成すれば、略円錐形状を有する凸部の側面部が凹部の内周面にスムーズに誘導されるので、スタンド部材を表示装置本体に対してより容易に位置決めすることができる。
【００１４】
上記第１の局面による表示装置において、好ましくは、凸部は、略台形断面形状を有しており、凹部は、凸部の略台形断面形状に対応する断面形状を有している。このように構成すれば、凸部が略三角断面形状の場合と比べて、凸部の先細り形状の先端部が破損するのを抑制しながら、凹部の内側面に沿うように凸部の先端の位置を容易に位置決めしてスタンド部材を表示装置本体に対して容易に位置決めすることができる。
【００１５】
上記第１の局面による表示装置において、好ましくは、表示装置本体は、第１仮固定部を含み、スタンド部材は、表示装置本体の第１仮固定部に係合して表示装置本体に仮固定するための第２仮固定部を含み、第１仮固定部と第２仮固定部とが係合することによって仮固定される際に、凸部が凹部に係合するように構成されている。このように構成すれば、第１仮固定部と第２仮固定部とを用いてスタンド部材を表示装置本体に仮固定する際に凸部と凹部との相対的な位置決めを容易に行うことができるので、凸部と凹部とを容易に係合させることができる。また、スタンド部材を表示装置本体に仮固定するための第１仮固定部と第２仮固定部とを設けた場合でも、凸部と凹部とによりスタンド部材が表示装置本体に対して傾斜するのが抑制されるので、スタンド部材が表示装置本体に対して傾斜することに起因して第１仮固定部と第２仮固定部とが捻れて破損してしまうのを抑制することができる。
【００１６】
この場合、好ましくは、凸部は、直線状に延びる形状を有し、凹部は、直線状に延びる凸部に対応するように直線状に形成され、第１仮固定部と第２仮固定部とが相対的にスライド移動しながら係合することによって仮固定される際に、凸部が凹部に係合した状態で相対的にスライド移動可能なように構成されている。このように構成すれば、凸部と凹部とによりガイドしながら、第１仮固定部と第２仮固定部とを相対的に移動させることができるので、第１仮固定部と第２仮固定部とを容易に係合させて仮固定することができる。
【００１７】
上記凸部が直線状に延びる形状を有する構成において、好ましくは、凸部は、凸部の高さがスライド移動する方向に沿って先細り状になるとともに、凸部の幅がスライド移動する方向に沿って先細り状になるように形成されている。このように構成すれば、凸部の高さおよび幅がスライドする方向に沿って先細り形状に形成されていない場合に比べて、凸部の寸法のばらつきに起因して、凸部が凹部に対して相対的にスライド移動しにくくなるのを抑制することができる。
【００１８】
上記第１の局面による表示装置において、好ましくは、スタンド部材は、平坦面状に形成された第１取付面を有しており、表示装置本体は、平坦面状に形成された第２取付面を有しており、凸部は、スタンド部材の第１取付面および表示装置本体の第２取付面の一方に設けられており、凹部は、スタンド部材の第１取付面および表示装置本体の第２取付面の他方に設けられており、スタンド部材と表示装置本体とが締結部材により固定されることにより、凸部の側面部と凹部の内側面とが互いに密着するとともに第１取付面と第２取付面とが面接触するように構成されている。このように構成すれば、凸部と凹部とによりスタンド部材の傾きを抑制しながら、第１取付面と第２取付面とを面接触させてスタンド部材により表示装置本体を安定して支持することができる。
【００１９】
この発明の第２の局面によるテレビジョン装置は、テレビジョン放送を受信可能な受信部と、表示部を含む表示装置本体と、表示装置本体を支持するスタンド部材と、表示装置本体とスタンド部材とを固定する締結部材とを備え、スタンド部材および表示装置本体の一方は、スタンド部材と表示装置本体とが当接する当接面に対して垂直方向に先細り形状である凸部を有し、スタンド部材および表示装置本体の他方は、凸部に対応する先細り形状に形成され、凸部に係合する凹部を有しており、凸部および凹部は、表示装置本体とスタンド部材とが締結部材によって固定される際に、凸部の側面部が凹部の内側面に沿って徐々に誘導されて係合するように構成されている。
【００２０】
この発明の第２の局面によるテレビジョン装置では、上記のように、スタンド部材および表示装置本体の一方に、スタンド部材と表示装置本体とが当接する当接面に対して垂直方向に先細り形状である凸部を設けるとともに、スタンド部材および表示装置本体の他方に、凸部に対応する先細り形状に形成されるとともに、凸部に係合する凹部を設け、表示装置本体とスタンド部材とが締結部材によって固定される際に、凸部の側面部を凹部の内側面に沿って徐々に誘導して、凸部および凹部を係合するように構成することによって、スタンド部材を表示装置本体に取り付ける際に、先細り形状の凸部の先端が先細り形状の凹部の内側面に沿って凹部の先端方向に移動されるので、凸部と凹部とを精度よく位置決めすることができる。これにより、スタンド部材と表示装置本体とが精度よく位置決めされるので、スタンド部材が取り付けされた表示装置が設置面に設置された状態において、スタンド部材が表示装置本体に対して平面視で回転方向に傾いた状態で取り付けられることを抑制することができる。その結果、スタンド部材の取り付け時にユーザがスタンド部材が傾かないように微調整する必要もないので、スタンド部材の取付作業性を向上させることができる。また、スタンド部材を表示装置本体に取り付ける際に、先細り形状の凸部の先端が先細り形状の凹部の内側面にガイドされながら凹部の先端方向に移動されるので、スタンド部材と表示装置本体とを容易に精度よく位置決めして取り付けることができ、その結果、これによってもスタンド部材の取付作業性を向上させることができる。さらに、締結部材により固定される際に、凸部の側面部が凹部の内側面に沿って徐々に誘導されるように構成することによって、締結部材により固定される際に、凸部と凹部とが正確に位置決めされるので、凸部を凹部に対して最初は大雑把に嵌め込むだけで正確に位置決めをすることができる。
【発明の効果】
【００２１】
本発明によれば、上記のように、スタンド部材が表示装置本体に対して平面視で回転方向に傾いた状態で取り付けられることを抑制することができる。
【図面の簡単な説明】
【００２２】
【図１】本発明の一実施形態によるテレビジョン装置の前方から見た全体斜視図である。
【図２】本発明の一実施形態によるテレビジョン装置の後方から見た全体斜視図である。
【図３】本発明の一実施形態によるテレビジョン装置の全体構成を示した分解斜視図である。
【図４】本発明の一実施形態によるスタンド部材の斜視図である。
【図５】本発明の一実施形態によるスタンド部材の取付面を示した図である。
【図６】本発明の一実施形態によるスタンド部材の底面側を示した図である。
【図７】本発明の一実施形態による表示装置本体を下方から見た斜視図である。
【図８】本発明の一実施形態によるテレビジョン装置の取付面を拡大した図である。
【図９】本発明の一実施形態によるスタンド部材を表示装置本体に取り付ける際の状態を示した斜視図である。
【図１０】本発明の一実施形態によるテレビジョン装置の取り付け前のリブと溝部とを拡大した断面図である。
【図１１】本発明の一実施形態によるテレビジョン装置の仮固定された際のリブと溝部とを拡大した断面図である。
【図１２】本発明の一実施形態によるテレビジョン装置のネジにより締結された後のリブと溝部とを拡大した断面図である。
【図１３】本発明の一実施形態によるスタンド部材が表示装置本体に対して相対的にスライド移動される前の状態の図である。
【図１４】本発明の一実施形態によるスタンド部材が表示装置本体に対して相対的にスライド移動された後の状態の図である。
【図１５】本発明の一実施形態によるスタンド部材と表示装置本体とがネジにより取り付けられた状態を拡大した断面図である。
【図１６】本発明の一実施形態の第１変形例によるスタンド部材の凸部を示した図である。
【図１７】本発明の一実施形態の第２変形例によるスタンド部材の凸部を示した図である。
【図１８】本発明の一実施形態の第３変形例によるスタンド部材の凸部を示した図である。
【発明を実施するための形態】
【００２３】
以下、本発明の実施形態を図面に基づいて説明する。
【００２４】
図１〜図１５を参照して、本発明の一実施形態によるテレビジョン装置１の構成について説明する。なお、テレビジョン装置１は、本発明の「表示装置」の一例である。
【００２５】
本発明の一実施形態によるテレビジョン装置１は、図１および図２に示すように、表示装置本体２を備えている。また、図３に示すように、表示装置本体２は、フロントキャビネット３と、表示部４と、回路基板５ａおよび５ｂと、スタンド部材６が取り付けられるスタンド取付部材７と、カバー部材８とを含んでいる。また、スタンド部材６は、図１および図２に示すように、下方から表示装置本体２を支持している。
【００２６】
フロントキャビネット３は、図１に示すように、前面視において枠状の略矩形形状を有している。また、フロントキャビネット３は、ポリスチレン等の樹脂で形成されている。また、フロントキャビネット３の後面には、図３に示すように、スタンド取付部材７およびカバー部材８を取り付けるためのネジ穴３１が設けられている。
【００２７】
表示部４は、図３に示すように、フロントキャビネット３の後側（Ｙ２方向側）に配置されてフロントキャビネット３に固定されている。また、表示部４は、前側（Ｙ１方向側）の画面にテレビジョン放送の映像を表示するように構成さている。また、表示部４は、後側（Ｙ２方向側）の面にリアフレーム４１を有している。リアフレーム４１は、金属（たとえば、ＳＥＣＣ（電気亜鉛めっき鋼板）からなる板金製）で形成されている。また、リアフレーム４１には、信号処理用の回路基板５ａおよび電源生成用の回路基板５ｂを取り付けるためのネジ穴４１ａと、スタンド取付部材７を取り付けるためのネジ穴４１ｂと、カバー部材８を取り付けるためのネジ穴４１ｃとが設けられている。
【００２８】
回路基板５ａおよび５ｂは、図３に示すように、表示部４の後側（Ｙ２方向側）に配置されている。また、回路基板５ａおよび５ｂは、図示しない配線によりそれぞれ表示部４に接続されている。また、回路基板５ａおよび５ｂは、図示しない配線により互いに接続されている。また、回路基板５ａは、テレビジョン放送を受信可能な受信部（チューナ）５３（図３参照）を含んでいる。
【００２９】
ここで、本実施形態では、図３に示すように、表示装置本体２の下部には、表示装置本体２のスタンド取付部材７に取り付けられるスタンド部材６が設けられている。また、スタンド部材６には、図４〜図６に示すように、表示装置本体２に対向する側（Ｚ１方向側）に突出する台状の取付部６１が設けられている。また、取付部６１の上部には、平坦面状に形成された取付面６２が形成されている。また、取付面６２には、スタンド取付部材７の溝部７２に係合されるリブ６３と、スタンド取付部材７の孔部７３に係合してスタンド部材６を表示装置本体２に仮固定するためのフック６４と、ネジ６６（図３参照）を取り付けるネジ孔６５とが設けられている。なお、取付面６２は、本発明の「第１取付面」の一例である。また、リブ６３は、本発明の「凸部」、「第１凸部」および「第２凸部」の一例である。また、フック６４は、本発明の「第２仮固定部」の一例である。また、ネジ６６は、本発明の「締結部材」の一例である。
【００３０】
スタンド部材６の取付面６２には、図４〜図６に示すように、２つのリブ６３が設けられている。リブ６３は、図１５に示すように、スタンド部材６と表示装置本体２とが当接する当接面（取付面６２）に沿った方向に延びるように形成されている。具体的には、リブ６３の上面が当接面（取付面６２）に対して平行に延びるように形成されている。リブ６３は、互いに、左右方向（Ｘ方向）に所定の間隔を隔てて配置されている。リブ６３は、取付面６２の左右方向（Ｘ方向）の縁部近傍に設けられている。リブ６３は、図１５に示すように、それぞれ、ネジ６６を挟むようにネジ６６が取り付けられる位置（ネジ孔６５）の左右方向（Ｘ方向）の外側に設けられている。また、２つのリブ６３は、前後方向（Ｙ方向）に直線状に延びるように形成されている。また、リブ６３は、互いに平行に配置されている。また、リブ６３は、スタンド部材６に一体的に樹脂成型により形成されている。また、リブ６３は、フック６４の左右方向（Ｘ方向）の外側に設けられている。
【００３１】
また、各リブ６３は、図１０〜図１２に示すように、スタンド部材６と表示装置本体２とが当接する当接面（取付面６２）に対して垂直方向（Ｚ方向）に先細りとなる形状を有している。具体的には、各リブ６３は、略三角断面形状を有している。すなわち、リブ６３は、全体としては三角断面形状である一方、先端は丸みを帯びた形状を有しているので先端が尖っている場合と異なり破損しにくい。また、各リブ６３は、図４および図５に示すように、取付面６２の一方（Ｙ１方向）の縁部から前後方向（Ｙ方向）の略中央まで延びるように形成されている。
【００３２】
フック６４は、図４〜図６に示すように、所定の間隔を隔ててスタンド部材６の取付面６２に２つ設けられている。また、２つのフック６４は、スタンド部材６の取付面６２の左右方向（Ｘ方向）の略中央に設けられている。また、フック６４は、スタンド取付部材７の孔部７３に対応した形状を有している。また、フック６４は、取付面６２から上側（Ｚ１方向側）に突出するように形成されている。また、フック６４は、図１４および図１５に示すように、スタンド取付部材７の孔部７３に係合するように構成されている。
【００３３】
ネジ孔６５は、図４〜図６に示すように、所定の間隔を隔ててスタンド部材６の取付面６２に２つ設けられている。また、ネジ孔６５は、それぞれ、左右方向（Ｘ方向）のフック６４とリブ６３との間に設けられている。また、スタンド部材６は、図１５に示すように、ネジ孔６５を介して表示装置本体２のスタンド取付部材７にネジ６６により取り付けられている。
【００３４】
スタンド取付部材７は、図３に示すように、表示部４の後側（Ｙ２方向側）に配置されて表示部４のリアフレーム４１に固定されている。また、スタンド取付部材７は、樹脂成型により一体的に形成されている。また、スタンド取付部材７は、表示部４に取り付けられた回路基板５ａおよび５ｂの下側（Ｚ２方向側）を覆う立壁状に形成されている。また、スタンド取付部材７は、ネジ挿入穴７５を介してリアフレーム４１のネジ穴４１ｂにネジ７６により取り付けられている。また、スタンド取付部材７は、ネジ挿入穴７７を介してリアフレーム４１のネジ穴４１ｂおよびフロントキャビネット３のネジ穴３１にネジ８２により取り付けられている。
【００３５】
また、本実施形態では、スタンド取付部材７は、図７および図８に示すように、下面側（Ｚ２方向側）に平坦面状に形成された取付面７１を有している。スタンド取付部材７の取付面７１には、スタンド部材６のリブ６３が挿入される溝部７２と、スタンド部材６の仮固定用のフック６３が係合する孔部７３と、ネジ６６が取り付けられるネジ孔７４とが設けられている。また、スタンド取付部材７の取付面７１は、スタンド部材６の取付面６２に面接触するように構成されている。なお、取付面７１は、本発明の「第２取付面」の一例である。なお、溝部７２は、本発明の「凹部」、「第１凹部」および「第２凹部」の一例である。なお、孔部７３は、本発明の「第１仮固定部」の一例である。
【００３６】
溝部７２は、図８に示すように、スタンド取付部材７の取付面７１に２つ設けられている。溝部７２は、図１５に示すように、スタンド部材６と表示装置本体２とが当接する当接面（取付面７１）に沿った方向に延びるように形成されている。具体的には、溝部７２の底面が当接面（取付面７１）に対して平行に延びるように形成されている。溝部７２は、互いに左右方向（Ｘ方向）に所定の間隔を隔ててスタンド取付部材７の取付面７１に２つ設けられている。２つの溝部７２は、図１５に示すように、それぞれ、ネジ６６を挟むようにネジ６６が取り付けられる位置（ネジ孔７４）よりも左右方向（Ｘ方向）の外側に設けられている。また、２つの溝部７２は、それぞれ、２つの孔部７３の外側（Ｘ方向側）に設けられている。また、溝部７２は、直線状に延びるリブ６３に対応するように前後方向（Ｙ方向）に直線状に延びるように形成されている。２つの溝部７２は、それぞれ、２つのリブ６３と係合するように構成されている。また、溝部７２は、互いに、平行に配置されている。また、溝部７２は、表示装置本体２の取付面７１に樹脂成型により一体的に形成されている。
【００３７】
また、各溝部７２は、図１０〜図１２に示すように、スタンド部材６と表示装置本体２とが当接する当接面（取付面７１）に対して垂直方向（Ｚ方向）に先細り形状となるリブ６３に対応する先細り形状を有している。具体的には、各溝部７２は、略三角断面形状に形成されている。すなわち、溝部７２は、全体としては三角断面形状である一方、先端は丸みを帯びた形状を有しているので先端が尖っている場合と異なり破損しにくい。また、スタンド部材６がネジ６６により表示装置本体２に固定される際に、徐々にリブ６３の側面部６３ａが溝部７２の内側面７２ａに沿って誘導（ガイド）されるように構成されている。
【００３８】
また、各溝部７２は、図８に示すように、取付面７１の前後方向（Ｙ方向）の両端部近傍にまで延びるように形成されている。また、溝部７２は、図１３および図１４に示すように、リブ６３に係合した状態で、相対的にスライド移動可能に構成されている。また、溝部７２の長手方向（Ｙ方向）の後側（Ｙ２方向側）の一端は、図１３に示すように、フック６４を孔部７３に対して相対的にスライドさせる前の状態では、リブ６３の長手方向の後側の一端との間に間隔を有するように構成されている。また、溝部７２の長手方向（Ｙ方向）の前側（Ｙ１方向側）の他端は、図１４に示すように、フック６４を孔部７３に対して相対的にスライドさせた後の状態では、リブ６３の長手方向の前側の他端との間に間隔を有するように構成されている。
【００３９】
孔部７３は、図８に示すように、所定の間隔を隔ててスタンド取付部材７の取付面７１に２つ設けられている。また、２つの孔部７３は、スタンド取付部材７の取付面７１の長手方向（Ｘ方向）の略中央に設けられている。また、孔部７３は、スタンド部材６のフック６３が係合するようにフック６４に対応した形状を有している。また、孔部７３は、図１３および図１４に示すように、フック６４に係合することによりスタンド部材６を表示装置本体２に仮固定するように構成されている。また、孔部７３とフック６４とは、相対的にＹ１方向にスライド移動しながら係合することによって仮固定されるように構成されている。
【００４０】
ネジ孔７４は、図８に示すように、所定の間隔を隔ててスタンド取付部材７の取付面７１に２つ設けられている。また、２つのネジ孔６４は、それぞれ、２つの孔部７３の左右方向（Ｘ方向）の外側に設けられている。また、ネジ孔６４は、それぞれ、２つの溝部６３の左右方向（Ｘ方向）の内側に設けられている。また、リブ６３および溝部７２は、表示装置本体２とスタンド部材６とがネジ６６によって固定される際に、リブ６３の側面部６３ａが溝部７２の内側面７２ａに沿って徐々に誘導されて係合するように構成されている。
【００４１】
カバー部材８は、図２および図３に示すように、表示部４の後側（Ｙ２方向側）に配置されて表示部４のリアフレーム４１およびフロントキャビネット３に固定されている。また、カバー部材８は、図３に示すように、表示部４に取り付けられた回路基板５の上側（Ｚ１方向側）、左右（Ｘ方向）および後側（Ｙ２方向側）が外部に露出しないように形成されている。また、カバー部材８は、ネジ挿入穴８１を介してリアフレーム４１のネジ穴４１ａ〜４１ｃおよびフロントキャビネット３のネジ穴３１にネジ８２により取り付けられている。
【００４２】
次に、図９〜図１５を参照してスタンド部材６の取付手順について説明する。まず、図９および図１０に示すように、スタンド部材６を表示装置本体２の下側（Ｚ２方向側）から取り付ける。この際、図１１および図１３に示すように、スタンド部材６の２つのフック６４を、それぞれ、スタンド取付部材７の２つの孔部７３に挿入する。また、スタンド部材６の２つのリブ６３を、それぞれ、スタンド取付部材７の２つの溝部７２に係合させる。この状態で、図１４に示すように、スタンド部材６のフック６４を表示装置本体２の孔部７３に対して相対的にスライド移動させながら係合させることによって、スタンド部材６を表示装置本体２に仮固定する。この際、リブ６３は溝部７２に係合した状態（図１１参照）で相対的にスライド移動される。また、スタンド部材６のリブ６３とフック６４とは、図１３および図１４に示すように、それぞれ、表示装置本体２の孔部７３と溝部７２とに対して相対的にスライド移動される。この状態で、図１２および図１５に示すように、ネジ６６によりスタンド部材６を表示装置本体２に固定する。この際、図１１に示すように、リブ６３の側面部６３ａが溝部７２の内側面７２ａに当接するように沿って誘導され、図１２に示すように、リブ６３の先端部が溝部７２の先端部に向かって移動する。これにより、リブ６３と溝部７２とが位置決めされ、リブ６３の側面部６３ａと溝部７２の内側面７２ａとが互いに密着して係合されるとともに、取付面６２と取付面７１とが面接触される。そして、リブ６３と溝部７２とが精度よく位置合わせされる。
【００４３】
本実施形態では、上記のように、スタンド部材６に、スタンド部材６と表示装置本体２とが当接する当接面に対して垂直方向に先細り形状であるリブ６３を設けるとともに、表示装置本体２に、リブ６３に対応する先細り形状に形成されるとともに、リブ６３に係合する溝部７２を設け、表示装置本体２とスタンド部材６とがネジ６６によって固定される際に、リブ６３の側面部６３ａを溝部７２の内側面７２ａに沿って徐々に誘導して、リブ６３および溝部７２を係合するように構成する。これによって、スタンド部材６を表示装置本体２に取り付ける際に、先細り形状のリブ６３の先端が先細り形状の溝部７２の内側面７２ａに沿って溝部７２の先端方向に移動されるので、リブ６３と溝部７２とを精度よく位置決めすることができる。これにより、スタンド部材６と表示装置本体２とが精度よく位置決めされるので、スタンド部材６が取り付けされたテレビジョン装置１が設置面に設置された状態において、スタンド部材６が表示装置本体２に対して平面視で回転方向に傾いた状態で取り付けられることを抑制することができる。その結果、スタンド部材６の取り付け時にユーザがスタンド部材６が傾かないように微調整する必要もないので、スタンド部材６の取付作業性を向上させることができる。また、スタンド部材６を表示装置本体２に取り付ける際に、先細り形状のリブ６３の先端が先細り形状の溝部７２の内側面７２ａにガイドされながら溝部７２の先端方向に移動されるので、スタンド部材６と表示装置本体２とを容易に精度よく位置決めして取り付けることができ、その結果、これによってもスタンド部材６の取付作業性を向上させることができる。さらに、ネジ６６により固定される際に、徐々にリブ６３の側面部６３ａが溝部７２の内側面７２ａに沿って誘導されるように構成することによって、ネジ６６により固定される際に、リブ６３と溝部７２とが正確に位置決めされるので、リブ６３を溝部７２に対して最初は大雑把に嵌め込むだけで正確に位置決めをすることができる。
【００４４】
本実施形態では、上記のように、リブ６３を、スタンド部材６に一体的に設けるとともに当接面に沿った方向に延びるように形成し、溝部７２を、表示装置本体２に一体的に設け、リブ６３に対応する形状に形成することによって、スタンド部材６および表示装置本体２とそれぞれ一体的に設けたリブ６３および溝部７２により、リブ６３および溝部７２をスタンド部材６およびスタンド取付部材７とは別個に設ける必要がないので、部品点数の増加を防止することができる。また、当接面に沿った方向に延びるリブ６３を設けるとともに、リブ６３に対応する溝部７２を設けることによって、当接面に沿った方向に延びる大きい領域でリブ６３と溝部７２とを係合させることができるので、リブ６３と溝部７２とが係合した状態においてスタンド部材６が表示装置本体２に対してより傾きにくくなり、その結果、スタンド部材６が表示装置本体２に対して傾いた状態で取り付けられることをより抑制することができる。
【００４５】
本実施形態では、上記のように、２つのリブ６３を、間隔を隔てて配置するとともに、２つの溝部７２を、２つのリブ６３に係合することによって、２組のリブ６３および溝部７２により、スタンド部材６の傾きを抑制することができるので、スタンド部材６が表示装置本体２に対して傾いた状態で取り付けられることを効果的に抑制することができる。
【００４６】
本実施形態では、上記のように、２つのリブ６３を、ネジ６６を挟むようにネジ６６が取り付けられる位置よりも外側に設け、２つのリブ６３に係合する２つの溝部７２を、ネジ６６を挟むようにネジ６６が取り付けられる位置よりも外側に設けることによって、２つのリブ６３の距離を大きくすることができるので、２つのリブ６３の距離が小さい場合に比べて、スタンド部材６が表示装置本体２に対して平面視で回転方向に同じ長さだけずれた場合でもスタンド部材６の表示装置本体２に対する傾き（角度）を小さくすることができる。これにより、スタンド部材６が表示装置本体２に対して傾いた状態で取り付けられることをより効果的に抑制することができる。
【００４７】
本実施形態では、上記のように、リブ６３を、略三角断面形状に形成するとともに、溝部７２を、リブ６３の略三角断面形状に対応する形状に形成することによって、略三角断面形状の溝部７２の内側面７２ａに沿うように略三角断面形状のリブ６３の先端の位置が容易に位置決めされるので、スタンド部材６を表示装置本体２に対して容易に位置決めすることができる。
【００４８】
本実施形態では、上記のように、孔部７３を表示装置本体２に設けるとともに、孔部７３に係合して仮固定するためのフック６４をスタンド部材６に設け、孔部７３とフック６４とを係合することによって仮固定する際に、リブ６３を溝部７２に係合するように構成することによって、孔部７３とフック６４とを用いてスタンド部材６を表示装置本体２に仮固定する際にリブ６３と溝部７２との相対的な位置決めを容易に行うことができるので、リブ６３と溝部７２とを容易に係合させることができる。また、スタンド部材６を表示装置本体２に仮固定するための孔部７３とフック６４とを設けた場合でも、リブ６３と溝部７２とによりスタンド部材６が表示装置本体２に対して傾斜するのが抑制されるので、スタンド部材６が表示装置本体２に対して傾斜することに起因して孔部７３とフック６４とが捻れて破損してしまうのを抑制することができる。
【００４９】
本実施形態では、上記のように、リブ６３を、直線状に延びる形状に形成するとともに、溝部７２を、直線状に延びるリブ６３に対応するように直線状に形成し、孔部７３とフック６４とを相対的にスライド移動しながら係合することによって仮固定する際に、リブ６３を溝部７２に係合した状態で相対的にスライド移動可能なように構成することによって、リブ６３と溝部７２とによりガイドしながら、孔部７３とフック６４とを相対的に移動させることができるので、孔部７３とフック６４とを容易に係合させて仮固定することができる。
【００５０】
本実施形態では、上記のように、平坦面状に形成した取付面６２をスタンド部材６に設けるとともに、平坦面状に形成した取付面７１を表示装置本体２に設け、リブ６３を、スタンド部材６の取付面６２および表示装置本体２の取付面７１の一方に設けるとともに、溝部７２を、スタンド部材６の取付面６２および表示装置本体２の取付面７１の他方に設け、スタンド部材６と表示装置本体２とをネジ６６により固定することにより、リブ６３の側面部６３ａと溝部７２の内側面７２ａとを互いに密着するとともに取付面６２と取付面７１とを面接触するように構成することによって、リブ６３と溝部７２とによりスタンド部材６の傾きを抑制しながら、取付面６２と取付面７１とを面接触させてスタンド部材６により表示装置本体２を安定して支持することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明の表示装置の一例としてテレビジョン装置を適用する例を示したが、本発明はこれに限られない。テレビジョン装置以外の表示装置に本発明を適用してもよい。たとえば、ＰＣ（パーソナルコンピュータ）のディスプレイ等に本発明を適用してもよい。
【００５３】
また、上記実施形態では、本発明の凸部としてのリブの上面および凹部としての溝部の底面を、当接面に対して平行に形成した例を示したが、本発明はこれに限られない。本発明では、当接面に沿った方向であれば、当接面に対して平行でなく、少し傾斜していてもよい。
【００５４】
また、上記実施形態では、スタンド部材に本発明の凸部としてのリブを設けるとともに、表示装置本体に本発明の凹部としての溝部を設けた例を示したが、本発明はこれに限られない。本発明では、表示装置本体に凸部を設けるとともに、表示装置本体に凹部を設けてもよい。
【００５５】
また、上記実施形態では、本発明の凸部としてのリブおよび凹部としての溝部を直線状に形成した例を示したが、本発明はこれに限られない。本発明では、凸部および凹部を曲線等の線状に形成してもよい。
【００５６】
また、上記実施形態では、本発明の締結部材の一例としてのネジを示したが、本発明はこれに限られない。本発明では、ネジ以外の、たとえば、ビス等の締結部材であってもよい。
【００５７】
また、上記実施形態では、本発明の凸部としてのリブおよび凹部としての溝部を、２つ形成した例を示したが、本発明はこれに限られない。本発明では、１つ、または、３つ以上の凸部および凹部を、それぞれ、設けてもよい。
【００５８】
また、上記実施形態では、本発明の凸部としてのリブを、直線状に延びるように形成した例を示したが、本発明はこれに限られない。本発明では、直線状に延びるように形成したリブ以外の、たとえば、図１６に示す第１変形例のように、略円錐形状に凸部を形成してもよい。なお、略円錐形状の凸部の断面（縦断面）は、略三角形形状を有している。
【００５９】
また、上記実施形態では、本発明の凸部としてのリブおよび凹部としての溝部を、略三角断面形状に形成した例を示したが、本発明はこれに限られない。本発明では、図１７に示す第２変形例のように、先細り形状であれば、三角形形状以外の、たとえば、略台形形状の断面（縦断面）に凸部を形成してもよい。
【００６０】
また、上記実施形態では、本発明の凸部としてのリブおよび凹部としての溝部を、略三角断面形状に形成した例を示したが、本発明はこれに限られない。本発明では、先細り形状であれば、三角形形状以外の、たとえば、略半円状や多角形形状の断面に形成してもよい。
【００６１】
また、上記実施形態では、本発明の第１仮固定部としてのフックおよび第２仮固定部としての孔部を設けた例を示したが、本発明はこれに限らない。本発明では、第１仮固定部および第２仮固定部を設けなくてもよい。
【００６２】
また、上記実施形態では、本発明の凹部としての溝部を、スタンド取付部材に設けた例を示したが、本発明はこれに限られない。本発明では、凹部または凸部を、表示装置本体のスタンド取付部材以外のたとえばフロントキャビネットなどに設けてもよい。
【００６３】
また、上記実施形態では、本発明の凸部としてのリブのＺ方向の高さが一定であるとともに、リブのＸ方向の幅が一定である例を示したが、本発明はこれに限らない。本発明では、図１８に示す第３変形例のように、凸部の高さがスライド移動する方向に沿って先細り状になるとともに、凸部の幅がスライド移動する方向に沿って先細り状になるように凸部を形成してもよい。
【符号の説明】
【００６４】
１  テレビジョン装置（表示装置）
２  表示装置本体
４  表示部
６  スタンド部材
７  スタンド取付部材
５３  チューナ（受信部）
６２  取付面（第１取付面）
６３  リブ（第１凸部、第２凸部、凸部）
６３ａ  側面部
６４  フック（第２仮固定部）
６６  ネジ（締結部材）
７１  取付面（第２取付面）
７２  溝部（第１凹部、第２凹部、凹部）
７２ａ  内側面
７３  孔部（第１仮固定部）
【図１】
2013110732.tif 000003
【図２】
2013110732.tif 000004
【図３】
2013110732.tif 000005
【図４】
2013110732.tif 000006
【図５】
2013110732.tif 000007
【図６】
2013110732.tif 000008
【図７】
2013110732.tif 000009
【図８】
2013110732.tif 000010
【図９】
2013110732.tif 000011
【図１０】
2013110732.tif 000012
【図１１】
2013110732.tif 000013
【図１２】
2013110732.tif 000014
【図１３】
2013110732.tif 000015
【図１４】
2013110732.tif 000016
【図１５】
2013110732.tif 000017
【図１６】
2013110732.tif 000018
【図１７】
2013110732.tif 000019
【図１８】
2013110732.tif 000020